(57)【要約】【課題】建物外壁面に換気孔を穿ち該換気孔に被せて該換気孔を通して壁面内空間と外気との換気を行うことができて施工が極めて容易であり製造コストが安く抑えられること。【解決手段】取付け基体と、取付け基体に被せる成形ブロックと、除湿エレメントとを有してなる。取付け基体は、開口を建物外壁面に穿つ換気孔に合わせて建物外壁面に密着して止着具を小孔に通して建物外壁面へ固定する設置基板と、設置基板より延設されていて前記開口の上側及び両側の三方を囲んでいて下側を開放している囲いリブと、囲いリブの張出端に延設されているフランジとを有してなる。成形ブロックは、設置基板に被さり周囲に張り出す大きさを有していて、当該成形ブロックを設置基板の上端より下端へ密着させて移動するとき囲いリブを収容する凹部を有し、かつ凹部にはフランジ係止溝を有し該フランジ係止溝に取付け基体のフランジを嵌入させ係止する。【選択図】図１
2006233601.tif 000002
【特許請求の範囲】
【請求項１】
建物外壁面に取り付ける取付け基体と、該取付け基体に被せる成形ブロックと、前記取付け基体と前記成形ブロックとで形成される換気通路内に設けられる除湿エレメントとを有してなり、
前記取付け基体は、
中央部に開口を有しかつ周辺部に小孔を有し前記開口を前記建物外壁面に穿つ換気孔に合わせて前記建物外壁面に密着して止着具を前記小孔に通して前記建物外壁面へ固定する設置基板と、該設置基板より延設されていて前記開口の上側及び両側の三方を囲んでいて下側を開放している囲いリブと、該囲いリブの張出端に延設されているフランジとを有してなり、
前記成形ブロックは、前記設置基板に被さり周囲に張り出す大きさを有していて、当該成形ブロックを前記設置基板の上端より下端へ密着させて移動するとき前記囲いリブを収容する凹部を有し、かつ該凹部にはフランジ係止溝を有し該フランジ係止溝に前記取付け基体の前記フランジを嵌入させて該フランジに係止して当該成形ブロックを前記取付け基体に被せた状態に係止し得る、
ことを特徴とする換気装置。
【請求項２】
前記成形ブロックは、幾何学模様や家紋、漫画のキャラクター、動植物、自動車、飛行機、ロケットなどのデザインが施されていることを特徴とする請求項１に記載の換気装置。
【発明の詳細な説明】
【技術分野】
【０００１】
本発明は、壁面内空間と外気との自然換気を行うための換気装置に関する。
【背景技術】
【０００２】
近年の建物の外壁構造は、外壁面構成材と内壁面構成材とで閉じられた壁面内空間の空気を天井裏へ逃がしさらに棟部に設けた換気装置より排出するとともに床下または室内床付近の空気を壁面内空間へ流入させて壁面内空間の換気を行うエアサイクル構造である場合が多くなった。しかし、依然として既設及び新設の木造建築で壁面内空間の換気が行われていない構造である場合が圧倒的に多い。壁面内空間の換気が行われないと、壁面内空間に湿気が隠り木材に黴が生えて早期に腐る事態を招く。特に、一階のお風呂の上側にある建物外壁の壁面内空間では湿気が隠り、木材に黴が生えて早期に腐っているケースが目立つ。
【０００３】
従来の換気装置は、室内換気を目的としており、外壁の壁面内空間の換気を目的としたものは多くは見あたらない。
特許文献１と２はいずれも、ファンを用いて、外壁と内壁材の隙間に発生する結露と、結露が発生する湿った空気を室外に排気することにより内壁材を湿気からくる損傷を防ぎ、又湿気によって室内に発生するカビやダニを防ぐ事が目的であり居住者の財産と健康と環境を守る、建築物の外壁と内壁材の隙間の換気装置を提案している。
特許文献３は、建物壁面に穿つ大きな通気孔に合わせて基台枠体を外壁面へ重ね、通気穴とリブを有するフレーム部を重ねて外壁面へ止着し、内面に断熱材を有するカバー体を被せて、カバー体をフレーム部のフランジに密着して通気孔を密閉し又カバー体をフレーム部のフランジから離れさせて通気孔を開放する換気装置を提案している。
【特許文献１】特開平１１−９３２８５号公報
【特許文献２】特開平１１−２４７３１７号公報
【特許文献３】特開平９−１６６３４０号公報
【発明の開示】
【発明が解決しようとする課題】
【０００４】
特許文献１と２は、ファンを用いており、ランニングコストがかかる。外壁にかなり大きい孔を開ける必要があり、外壁面に開けた孔が大きく見えて美観を損なう。マンションなどの外壁のように厚いコンクリート壁でできている場合に適用できて木造建築の外壁には不適である。
特許文献３は、外壁と内壁材の隙間の換気ではなくて室内の自然換気を目的としており、換気を行うには、カバー体を外壁面から離れさせる外壁面側からの人為操作が必要であり、高所では大変面倒であるので台風でも来ない限りはカバー体を外壁面から離れさせたままとなり、強い風雨時にはカバー体の内側に多量の雨の侵入を許す構造であり除湿機能が十分ではなく、外壁面からカバー体が離れるので外壁面とカバー体とは調和しない、といった不具合がある。
【０００５】
本発明の目的は、建物外壁面に換気孔を穿ち該換気孔に被せて該換気孔を通して壁面内空間と外気との自然換気を行うことができて施工が極めて容易であり製造コストが安く抑えられ外壁面に調和が取れる多種多様のデザインを容易に採択できる換気装置を提供することにある。
【課題を解決するための手段】
【０００６】
上記目的を達成するため、請求項１に記載の換気装置は、建物外壁面に取り付ける取付け基体と、該取付け基体に被せる成形ブロックと、前記取付け基体と前記成形ブロックとで形成される換気通路内に設けられる除湿エレメントとを有してなり、前記取付け基体は、中央部に開口を有しかつ周辺部に小孔を有し前記開口を前記建物外壁面に穿つ換気孔に合わせて前記建物外壁面に密着して止着具を前記小孔に通して前記建物外壁面へ固定する設置基板と、該設置基板より延設されていて前記開口の上側及び両側の三方を囲んでいて下側を開放している囲いリブと、該囲いリブの張出端に延設されているフランジとを有してなり、前記成形ブロックは、前記設置基板に被さり周囲に張り出す大きさを有していて、当該成形ブロックを前記設置基板の上端より下端へ密着させて移動するとき前記囲いリブを収容する凹部を有し、かつ該凹部にはフランジ係止溝を有し該フランジ係止溝に前記取付け基体の前記フランジを嵌入させて該フランジに係止して当該成形ブロックを前記取付け基体に被せた状態に係止し得る、ことを特徴とする。
【０００７】
上記目的を達成するため、請求項２に記載の換気装置は、請求項１に記載の換気装置において、前記成形ブロックは、幾何学模様や家紋、漫画のキャラクター、動植物、自動車、飛行機、ロケットなどのデザインが施されていることを特徴とする。
【０００８】
本発明の換気装置は、壁面内空間の空気の流通が少ない建物外壁面に設置するもので、既設建物と新設建物のいずれの外壁面にも取り付けることができる。本発明の換気装置を介して壁面内空間の空気が外部へ流出すると壁面内空間の下部の隙間より該壁面内空間内へ流入するので自然換気が確保される。風雨が強い日には換気装置の換気通路へ雨水が吹き込むことがあるが、除湿エレメントにより吹き込みが止められ除湿された外気が壁面内空間内に流入したり流出する。
【０００９】
本発明の換気装置の取り付け方は、外壁面（外壁面構成材）にドリルで換気孔を穿ち、一方、設置基板の外壁面との密着面にコーキング剤又は接着剤を塗布し、該設置基板の中央部の開口を前記換気孔に合わせて該設置基板を外壁面に密着させ、該設置基板の周辺部に設けた小孔に釘を通して打ち付けるか、ねじを通し締め込むことにより設置基板と建物外壁面との間に雨水の浸入を排除して設置基板を建物外壁面へ強固に固定し、次に、成形ブロックを設置基板の上端より下端へ密着して移動し、取付け基体の囲いリブを成形ブロックの凹部内に相対的に移動するととともに該凹部に付設したフランジ係止溝に囲いリブに延設したフランジを嵌入させる。もって、成形ブロックを取付け基体に被せた状態に係止できて、施工が極めて容易である。除湿エレメントは、取付け基体に一体に形成される複数の邪魔板でラビリンス通路を形成するものであっても良いし、通気性が大きい網部材などを収容するものであって良い。除湿エレメントは網部材であるときは、成形ブロックを取付け基体に被せる前に、当該除湿エレメントを囲いリブ内に収容するのが良い。
なお、本発明は、ドリルで外壁面構成材に換気孔を穿ちさらに内壁面構成材にも換気孔を穿ち、室内及び壁面内空間の換気を行う場合にも適用できる。この場合には、内壁面構成材に設けた換気孔には網目を有する化粧ブッシュを取り付ける。
【００１０】
本発明の換気装置によれば、成形ブロックは、凹部とフランジ係止溝を設けることのみしか制約を受けないので、多種多様の平面的及び立体的なデザインを容易に採択できる。例えば、幾何学模様や家紋、漫画のキャラクター、動植物、自動車、飛行機、ロケットなどのデザインを成形ブロックの正面に設けることができ、そのような成形ブロックであれば建物外壁面に対してワンポイントデザインとして存在感があり外壁面との調和が取れ、建物の品格・審美性を向上させ得る。
【００１１】
本発明の換気装置は、取付け基体が成形ブロックの重量を支持する構成であるので、取付け基体をプレス成形ねじ組立て品またはアルミダイキャスト品とすることが十分な強度を耐久性を保有できて製造コストが安く抑えられので好ましい。あるいは、取付け基体を鉄板を溶接組み立てして亜鉛ドブ浸けメッキしたものでも良い。一方、成形ブロックは、軽量なブロックとすることが好ましい。特に窯業系不燃材を用いた成形品であることが好ましい。石膏成型品やタイル材料や軽量コンクリート材料やその他、比重が軽い粉体からなる成型品とすることができる。成形ブロックの凹部の形成は、アバウトに成型して、その後に、フライス盤でエンドミルにより凹部を精密に削成し、次いで、Ｔ字フライスに交換して凹部に付設するフランジ係止溝を削成することで製造できる。成形ブロックは、成型品なので量産性を有し製造コストを安く抑えられる。なお、成形ブロックは、アルミダイキャスト品とすることを排除しない。
【発明の効果】
【００１２】
本発明によれば、建物外壁面に換気孔を穿ち該換気孔に被せて簡単に取り付けることができ該換気孔を通して壁面内空間と外気との換気を行うことができて、製造コストが安く抑えられ、成形ブロックに多種多様のデザインを容易に採択でき、幾何学模様や家紋、漫画のキャラクター、動植物、自動車、飛行機、ロケットなどのデザインを施せば建物外壁面に対してワンポイントデザインの装飾手段として存在して外壁面に調和が取れて建物に高級感又は興趣感を醸し出せる。
【発明を実施するための最良の形態】
【００１３】
以下、本発明の実施の形態を図面を用いて詳述する。
図１乃至３は本発明の第１の実施の形態の換気装置を示す。
図１（ａ）において、Ａは建物外壁の外壁面構成材であり、Ｂは建物外壁の内壁面構成材であり、Ｃは建物外壁の壁内空間である。この実施形態の換気装置Ｋ１は、建物外壁面（外壁面構成材Ａ）に取り付ける取付け基体１Ａと、該取付け基体１Ａに被せる成形ブロック２Ａと、前記取付け基体１Ａと前記成形ブロック２Ａとで形成される換気通路内３Ａに設けられる除湿エレメント４Ａとを有してなる。取付け基体１Ａと除湿エレメント４Ａは、例えば厚さ１ｍｍの鋼板をプレス成形し錆び止めしてなり、成形ブロック２Ａは窯業系不燃材料からなり取付け基体１Ａに対して上方から外壁面に沿って下降して嵌合し、図１（ｂ）に示すように、成形ブロック２で取付け基体１Ａが隠蔽されている。
【００１４】
図２（ａ）に示すように、取付け基体１Ａは、設置基板１ａと囲いリブ１ｂとをねじ５で締付け組立ててなり、その後、囲いリブ１ｂの通路空間に除湿エレメント４Ａを嵌め込みねじ６で固定してなる。
設置基板１ａは、中央部に開口１ａ’を有しかつ周辺部、例えば四隅に複数のねじを通す小孔１ａ”を有し、開口１ａ’の周りにコーキング剤を塗布して該開口１ａ’を建物外壁の外壁面構成材Ａに穿つ換気孔Ａ’に合わせて外壁面構成材Ａに密着して釘・ねじ等の止着具７を小孔１ａ”に通して外壁面構成材Ａへ固定し、周縁部にコーキング剤を塗布する。
囲いリブ１ｂは、基端に取付用フランジ１ｂ’を、また張出端にブロック係止用フランジ１ｂ”を備えているチャンネル型材をＵ字形にプレス成形してなり、取付用フランジ１ｂ’に開けた複数の小孔にねじ５を通し設置基板１ａへ螺合固定されていて、設置基板１ａの開口１ａ’の上側及び両側の三方を囲んでいて下側を開放している。
除湿エレメント４Ａは、アングル形に成形して、換気通路内３Ａがラビリンス通路/蛇行通路となるようにリブ部に開口４ａ，４ｂを有している。
【００１５】
成形ブロック２Ａは、図１（ｂ）に示すように、設置基板１ａに被さり周囲に張り出す大きさを有していて、図３（ａ）に示すように、設置基板１ａとの密着面側（裏面側）に囲いリブ１ｂの取付用フランジ１ｂ’との干渉を避ける逃げ凹部２ａと、囲いリブ１ｂを収容する凹部２ｂと、ブロック係止用フランジ１ｂ”を嵌合係止するフランジ係止溝２ｃを備えている。従って、成形ブロック２Ａを建物外壁面に取付けた設置基板１ａの上端より下端へ密着させて移動するとき取付け基体１Ａの囲いリブ１ｂを凹部２ｂに収容でき、又フランジ係止溝２ｃに囲いリブ１ｂの張出端のブロック係止用フランジ１ｂ”を嵌入させてフランジ係止溝２ｃでブロック係止用フランジ１ｂ”を係止でき、もって、成形ブロック２Ａを取付け基体１Ａに被せた状態に係止し得る。
なお、ブロック係止用フランジ１ｂ”を、図とは異なり、囲いリブ１ｂの両側にだけ設け又は上側にのみ大きく張出して設け、これに、フランジ係止溝２ｃを対応させて設けても差し支えない。
成形ブロック２Ａの表面には図３（ｂ）に示すように、デザイン２ｄ’が施されている。デザイン２ｄ’は、幾何学模様や家紋、漫画のキャラクター、動植物、自動車、飛行機、ロケットなどの好みのデザインとすることができる。成形ブロック２Ａは、取付け基体１に被せた後に設置基板１ａの厚さ分の隙間にコーキング剤を注入してメバリすることを行わなくても換気通路内３に雨水が侵入する虞が無く差し支えない。むしろ、成形ブロック２Ａは、取付け基体１Ａに被せるだけとして交換可能にしておいて、季節に応じて或いは毎月、異なったデザインを有する成形ブロックと交換して取付けるようにすると、建物外壁面に対してワンポイントデザインの飾り付けとして存在して外壁面に調和が取れて建物に高級感又は興趣感を醸し出せる。
成形ブロック２Ａは、デザイン２ｄ’が施される表層部と、取付け基体１Ａに被さる基部の二層として、表層部を基部に適宜手段で交換可能に係止できる構成としても良い。このようにすると、換気装置は、１つの取付け基体１Ａと、１つの成形ブロックの基部と、デザインの異なる二つ以上の成形ブロックの表層部とで構成され、表層部をワンポイントデザインの飾り付けパネルとすれば、建物外壁面に突出物（本発明の換気装置）があっても外観を損なうことにはならず、むしろ、建物に高級感又は興趣感を醸し出せる。
【００１６】
換気装置Ｋ１は、壁面内空間の空気の流通が少なくて壁面内空間に湿気が隠り木材に黴が生えて早期に腐る事態を招く建物外壁面に設置するもので、既設建物と新設建物のいずれの外壁面にも取り付けることができる。換気装置Ｋ１を介して壁面内空間Ｃの空気が外部へ流出するとともに壁面内空間Ｃの下部の隙間より該壁面内空間Ｃ内へ流入する。風雨が強い日に、換気装置の換気通路内３Ａへ下から強い吹き上げがあっても、凹部に設ける除湿エレメント４Ａにより強い吹き上げが弱められ除湿された外気が壁面内空間内に流入する。従って、壁面内空間の自然換気が行われ、もって湿気が隠り木材に黴が生えて早期に腐る事態を回避できる。
【００１７】
図４乃至６は本発明の第２の実施の形態の換気装置を示す。
この実施形態の換気装置Ｋ２は、建物外壁面（外壁面構成材Ａ）に取り付ける取付け基体１Ｂと、該取付け基体１Ｂに被せる成形ブロック２Ｂと、前記取付け基体１Ｂと前記成形ブロック２Ｂとで形成される換気通路内３Ｂに設けられる除湿エレメント４Ｂとを有してなる。取付け基体１Ｂは、アルミダイキャストでできていて、設置基板１ａと囲いリブ１ｂとブロック係止用フランジ１ｂ”が一体である。除湿エレメント４Ｂを構成する２枚の邪魔板４ｃも取付け基体１Ｂに一体に設けられている。除湿エレメント４Ｂを構成する残りの２枚の邪魔板４ｄは両端を囲いリブ１ｂに形成した凹部に嵌め込まれている。
成形ブロック２Ａは、窯業系不燃材料からなり取付け基体１Ａに対して上方から外壁面に沿って下降して嵌合し、図１（ｂ）に示すように、成形ブロック２で取付け基体１Ａが隠蔽されている。
以上の構成から分かるように、この換気装置は、第１の実施の形態のものと基本的に同じであり、同一の構成要素について同一符号を付して重複説明を省略する。
取付け基体１Ｂには図２（ａ）に示す取付用フランジ１ｂ’が無いので、成形ブロック２Ｂは、設置基板１ａとの密着面側に、図３（ａ）に示す逃げ凹部２ｃが無く、図６（ａ）に示すように、囲いリブ１ｂを収容する凹部２ｂと、ブロック係止用フランジ１ｂ”を嵌合係止するフランジ係止溝２ｃを備えている。成形ブロック２Ｂは、図４（ｂ）に示すように、取付け基体１Ｂを隠蔽できて、表面には図６（ｂ）に示すように、デザイン２ｄ’が施されている。
図７に示すように、多種多様のデザイン２ｄ’を表現した各種成形ブロック２Ｃ、２Ｄ、２Ｅ、２Ｆを取付け基体に交換可能の取付けられる。
【図面の簡単な説明】
【００１８】
【図１】（ａ）本発明の実施形態の換気装置を建物外壁面に取付けた状態を示す縦断側面図である。（ｂ）はその正面図である。
【図２】（ａ）図１の換気装置の取付け基体を建物外壁面に取付けた状態を示す縦断側面図である。（ｂ）はその正面図である。
【図３】（ａ）図１の換気装置の成形ブロックの裏面図である。（ｂ）はその正面図である。
【図４】（ａ）本発明の他の実施形態の換気装置を建物外壁面に取付けた状態を示す縦断側面図である。（ｂ）はその正面図である。
【図５】（ａ）図４の換気装置の取付け基体を建物外壁面に取付けた状態を示す縦断側面図である。（ｂ）はその正面図である。
【図６】（ａ）図４の換気装置の成形ブロックの裏面図である。（ｂ）はその正面図である。
【図７】各種成形ブロックのデザインを示す正面図である。
【符号の説明】
【００１９】
Ａ      建物外壁の外壁面構成材
Ａ’    建物外壁の外壁面構成材に穿つ換気孔
Ｂ      建物外壁の内壁面構成材
Ｃ      建物外壁の壁内空間
Ｋ１    換気装置
Ｋ２    換気装置
１Ａ      取付け基体
１Ｂ      取付け基体
１ａ    設置基板
１ｂ    囲いリブ
１ａ’  開口
１ａ”  小孔
１ｂ”  ブロック係止用フランジ
２Ａ    成形ブロック
２Ｂ    成形ブロック
２Ｃ    成形ブロック
２Ｄ    成形ブロック
２Ｆ    成形ブロック
２ｂ    凹部
２ｃ    フランジ係止溝
２ｄ’  デザイン
３Ａ    換気通路内
３Ｂ    換気通路内
４Ａ    除湿エレメント
４Ｂ    除湿エレメント
７      止着具
【図１】
2006233601.tif 000003
【図２】
2006233601.tif 000004
【図３】
2006233601.tif 000005
【図４】
2006233601.tif 000006
【図５】
2006233601.tif 000007
【図６】
2006233601.tif 000008
【図７】
2006233601.tif 000009